(57)【要約】【課題】レンズ付きフィルムと組み合わされて、レンズ付きフィルムにより撮影される各撮影画像に対応するＧＰＳ情報を記録可能としたＧＰＳ情報記録装置を提供する。【解決手段】レンズ付きフィルム（Ｆ）を係合する係合部（２）と、ＧＰＳ衛星から受信したＧＰＳ情報を記録する記録部（３）と、記録部（３）の作動スイッチ（４）とを備え、作動スイッチ（４）が、係合部（２）に係合されるレンズ付きフィルム（Ｆ）のシャッターボタン（ＢＴ）と連動する。【選択図】          図１
2004226860.tif 000002
【特許請求の範囲】
【請求項１】
レンズ付きフィルムを係合する係合部と、
ＧＰＳ衛星から受信したＧＰＳ情報を記録する記録部と、
該記録部の作動スイッチとを備え、
前記作動スイッチが、前記係合部に係合されるレンズ付きフィルムのシャッターボタンと連動するレンズ付きフィルムのＧＰＳ情報記録装置。
【請求項２】
前記作動スイッチは、前記係合部に係合されるレンズ付きフィルムのシャッターボタンを覆うように配置されており、上部から押圧されることにより自らはオンされるとともに前記シャッターボタンを押圧操作する請求項１に記載のレンズ付きフィルムのＧＰＳ情報記録装置。
【請求項３】
前記作動スイッチは、自ら下方に押動されることにより前記シャッターボタンを押圧操作する請求項２に記載のレンズ付きフィルムのＧＰＳ情報記録装置。
【請求項４】
前記作動スイッチは、弾性樹脂製のカバーで覆われており、押圧されることにより前記カバーが下方に撓んで、前記カバーが前記シャッターボタンを押圧操作する請求項３に記載のレンズ付きフィルムのＧＰＳ情報記録装置。
【請求項５】
前記作動スイッチは、前記係合部に係合されるレンズ付きフィルムのシャッターボタンの位置に合わせて、位置調整が可能である請求項２から４のいずれかに記載のレンズ付きフィルムのＧＰＳ情報記録装置。
【請求項６】
前記記録部は、ＧＰＳ衛星から受信したＧＰＳ情報を、前記係合部に係合されるレンズ付きフィルムによる各撮影画像と関連づけて記録する請求項１から５のいずれかに記載のレンズ付きフィルムのＧＰＳ情報記録装置。
【請求項７】
前記記録部は、ＧＰＳ衛星から受信したＧＰＳ情報を、受信した順番に合わせて記録する請求項１から５のいずれかに記載のレンズ付きフィルムのＧＰＳ情報記録装置。
【請求項８】
前記記録部は、電子計算機と接続可能な外部出力端子を備え、記録されたＧＰＳ情報を前記外部出力端子と接続される電子計算機に出力する請求項１から７のいずれかに記載のレンズ付きフィルムのＧＰＳ情報記録装置。
【発明の詳細な説明】
【０００１】
【発明の属する技術分野】
本発明は、レンズ付きフィルムにより撮影される各撮影画像に対応するＧＰＳ情報を記録するレンズ付きフィルムのＧＰＳ情報記録装置に関する。
【０００２】
【従来の技術】
レンズ付きフィルムは、樹脂製の筐体に撮影ユニットとフィルムを組み込むだけのシンプルな構造を採用することにより、低価格で提供されている。また、フィルムをセットする作業が不要であるとともに必要最小限レベルの機能のみに絞った仕様を採用しているため、メカの取り扱いに慣れない人にも簡単に取り扱うことができるという利点を有し、広く一般に普及しているものである。最近では、日付が記録されるタイプのレンズ付きフィルムも提供されるまでに至っている。
【０００３】
ところで、近年、急速に普及しつつあるデジタルカメラ機能を備えた携帯電話では、携帯電話本来の通信機能を活用することにより、撮影場所の割り出し、および割り出された撮影場所の地図情報データの入手を行い、画像データとともに記録できるようにしたものが提供されている。このデジタルカメラ機能付き携帯電話では、まず、ＧＰＳ衛星から電波（ＧＰＳ情報）を受信し、次に、このＧＰＳ情報を、携帯電話の通信用電波から計算される現在位置と携帯電話アンテナ基地局との距離に基づいてリアルタイム補正することにより、撮影場所の正確な経度および緯度を割り出し、さらに、補正されたＧＰＳ情報に対応する地図情報データを地図データ情報提供会社のサーバーから入手するものである。
【０００４】
【発明が解決しようとする課題】
レンズ付きフィルムにおいても、上記のようなデジタルカメラ機能付き携帯電話と同様に、撮影場所を割り出して、地図情報データを画像とともに記録することができれば、さらに利便性を向上させることができる。しかしながら、レンズ付きフィルム自体に、ＧＰＳ情報の受信機能を搭載すれば、大幅なコスト増を招き、販売価格の上昇が避けられない。
【０００５】
本発明は、斯かる実情に鑑み、レンズ付きフィルムと組み合わされて、レンズ付きフィルムにより撮影される各撮影画像に対応するＧＰＳ情報を記録可能としたレンズ付きフィルムのＧＰＳ情報記録装置を提供しようとするものである。
【０００６】
【課題を解決するための手段】
請求項１に記載の発明は、レンズ付きフィルムを係合する係合部と、ＧＰＳ衛星から受信したＧＰＳ情報を記録する記録部と、該記録部の作動スイッチとを備え、前記作動スイッチが、前記係合部に係合されるレンズ付きフィルムのシャッターボタンと連動するレンズ付きフィルムのＧＰＳ情報記録装置を提供する。
【０００７】
請求項１に記載の発明によれば、作動スイッチを操作することによりＧＰＳ情報を記録するとともに、係合部に係合させるレンズ付きフィルムのシャッターボタンが連動して撮影が行われる。その結果、レンズ付きフィルム自体に通信機能を搭載することなく、ＧＰＳ情報を記録することができる。
【０００８】
請求項２に記載の発明は、前記作動スイッチは、前記係合部に係合されるレンズ付きフィルムのシャッターボタンを覆うように配置されており、上部から押圧されることにより自らはオンされるとともに前記シャッターボタンを押圧操作する請求項１に記載のレンズ付きフィルムのＧＰＳ情報記録装置を提供する。
【０００９】
請求項２に記載の発明によれば、請求項１に記載の発明が奏する作用効果に加えて、次のような作用効果を奏する。前記作動スイッチは、シャッターボタンを覆うように配置され、シャッターボタンと同様に上部から押圧されることによりオンされる。その結果、撮影者は、通常のレンズ付きフィルムで撮影する場合と比べて、特段異なる操作をする必要が無い。
【００１０】
請求項３に記載の発明は、前記作動スイッチは、自ら下方に押動されることにより前記シャッターボタンを押圧操作する請求項２に記載のレンズ付きフィルムのＧＰＳ情報記録装置を提供する。
【００１１】
請求項３に記載の発明によれば、請求項２に記載の発明が奏する作用効果に加えて、次のような作用効果を奏する。作動スイッチ自らが下方に押される動きを利用してシャッターボタンを押圧操作するので、作動スイッチとシャッターボタンを連動させる機構を簡単に構成することができる。
【００１２】
請求項４に記載の発明は、前記作動スイッチは、弾性樹脂製のカバーで覆われており、押圧されることにより前記カバーが下方に撓んで、前記カバーが前記シャッターボタンを押圧操作する請求項３に記載のレンズ付きフィルムのＧＰＳ情報記録装置を提供する。
【００１３】
請求項４に記載の発明によれば、請求項３に記載の発明が奏する作用効果に加えて、次のような作用効果を奏する。弾性樹脂製カバーの撓みを利用して作動スイッチを下方に押動させるので、連動機構を一層簡単にすることができる。
【００１４】
請求項５に記載の発明は、前記作動スイッチは、前記係合部に係合されるレンズ付きフィルムのシャッターボタンの位置に合わせて、位置調整が可能である請求項２から４のいずれかに記載のレンズ付きフィルムのＧＰＳ情報記録装置を提供する。
【００１５】
請求項５に記載の発明によれば、請求項２から４のいずれかに記載の発明が奏する作用効果に加えて、次のような作用効果を奏する。作動スイッチの位置調整を可能としたので、サイズや形状の異なるレンズ付きフィルムに使用することができるようになる。
【００１６】
請求項６に記載の発明は、前記記録部は、ＧＰＳ衛星から受信したＧＰＳ情報を、前記係合部に係合されるレンズ付きフィルムによる各撮影画像と関連づけて記録する請求項１から５のいずれかに記載のレンズ付きフィルムのＧＰＳ情報記録装置を提供する。
【００１７】
請求項６に記載の発明によれば、請求項１から５のいずれかに記載の発明が奏する作用効果に加えて、次のような作用効果を奏する。ＧＰＳ情報は、各撮影画像と関連づけて記録されるので、フィルム現像あるいはプリント時に各画像に対応させて出力することができる。例えば、ＧＰＳ情報から得られる撮影場所、撮影日時を、撮影画像と対応させた形でプリントアウトすることができる。
【００１８】
請求項７に記載の発明は、前記記録部は、ＧＰＳ衛星から受信したＧＰＳ情報を、受信した順番に合わせて記録する請求項１から５のいずれかに記載のレンズ付きフィルムのＧＰＳ情報記録装置を提供する。
【００１９】
請求項７に記載の発明によれば、請求項１から５のいずれかに記載の発明が奏する作用効果に加えて、次のような作用効果を奏する。ＧＰＳ情報は、受信順すなわち撮影画像の撮影順に合わせて記録されるので、フィルム現像あるいはプリント時に各画像に対応させて出力することができる。また、ＧＰＳ情報を撮影順に合わせて記録するだけで済み、記録部を簡単に構成することができる。
【００２０】
請求項８に記載の発明は、前記記録部は、電子計算機と接続可能な外部出力端子を備え、記録されたＧＰＳ情報を前記外部出力端子と接続される電子計算機に出力する請求項１から７のいずれかに記載のレンズ付きフィルムのＧＰＳ情報記録装置を提供する。
【００２１】
請求項８に記載の発明によれば、請求項１から７のいずれかに記載の発明が奏する作用効果に加えて、次のような作用効果を奏する。外部出力端子から電子計算機にＧＰＳ情報を出力することにより、インターネットを通じて、ＧＰＳ情報の補正、地図データ情報の入手等の処理を容易にすることができる。
【００２２】
【発明の実施の形態】
以下、本発明の実施の形態を、添付図面を参照しながら説明する。
【００２３】
図１乃至図４は本発明を実施する形態の一例を示したものである。図１（ａ）はレンズ付きフィルムのＧＰＳ情報記録装置、図１（ｂ）はレンズ付きフィルムのＧＰＳ情報記録装置にレンズ付きフィルムを係合した状態を示す斜視図である。図２は、ＧＰＳ情報を記録する記録部の内部構造を示す図であり、図３は、記録部の作動スイッチの構造を示す断面図である。図４は、記録部に記録されたＧＰＳ情報を出力するためのシステムを示す図である。
【００２４】
〔レンズ付きフィルムのＧＰＳ情報記録装置１の概要〕
レンズ付きフィルムのＧＰＳ情報記録装置１（以下、「ＧＰＳ情報記録装置１」という。）は、図１（ａ）に示されるように、主として、レンズ付きフィルムＦを係合する係合部２と、ＧＰＳ衛星から受信したＧＰＳ情報を記録する記録部３と、記録部３の作動スイッチ４とを備えてなる。
【００２５】
〔係合部２について〕
係合部２は、合成樹脂で形成されており、図１（ｂ）に示されるように、レンズ付きフィルムＦの底面Ｂ、側面Ｓおよび上面Ｔをそれぞれ接合させる底面係合部２１、側面係合部２２および上面係合部２３を有してなる。側面係合部２２は、記録部３を覆う柱形状をしたケース３１の一側面に形成される平坦状面である。底面係合部２１および上面係合部２３は、側面係合部２２の下端および上端から横幅方向に延びて、互いに対向する可撓性の板状片であって、レンズ付きフィルムＦを上下から挟持固定するように形成されるものである。なお、上面係合部２３は、記録部３に対して横幅方向（矢印Ｘ方向）にスライド可能とされており、さらに各スライド位置でロック可能とされている。
【００２６】
〔記録部３について〕
記録部３は、合成樹脂で形成されるケース３１の中に、図２に示されるように、ＧＰＳアンテナ３２、受信チップ３３、ＣＰＵ３４、メモリーチップ３５、パーソナルコンピュータ（電子計算機）と接続可能な外部出力端子３６、交換可能なバッテリー３７を有してなる。ＧＰＳアンテナ３２は、ケース３１から上方に延びる金属製の棒状体で、多数のＧＰＳ衛星からタイミングを合わせて送信される電波（ＧＰＳ情報）を捉える。受信チップ３３は、作動スイッチ４と接続されており、作動スイッチ４がオンされたときに、多数のＧＰＳ衛星から適当な複数個のＧＰＳ衛星を選択し、選択されたＧＰＳ衛星からＧＰＳ情報を受信する。ＣＰＵ３４は、ＧＰＳ衛星から受信したＧＰＳ情報を、受信した順番（回数）と組み合わせて、メモリーチップ３５に出力する。メモリーチップ３５は、受信した順番に合わせてＧＰＳ情報を記録する。記録されたＧＰＳ情報は、外部出力端子３６にケーブル接続されるパーソナルコンピュータへ出力することができる。
【００２７】
〔作動スイッチ４について〕
作動スイッチ４は、上面係合部２３に一体的に設けられており、図３に示されるように、係合部２に係合されるレンズ付きフィルムＦのシャッターボタンＢＴを覆うように配置され、かつ、上部からの押圧（矢印Ｙ）によりオンされるように構成されている。作動スイッチ４は、押圧されることにより接点４１が閉じられてオンされるスイッチであり、接点４１の周りがラバー製カバー４２で覆われている。カバー４２は、押圧されることにより一点鎖線で示されるように撓んで、内蔵される接点４１を閉じる一方、下方に押動されることにより、シャッターボタンＢＴを押圧操作する。上記のように構成される作動スイッチ４では、オン操作時の節度感を設定することが難しいが、シャッターボタンＢＴ側の操作による節度感をもってオン操作されたと察知することができるので、作動スイッチ４自体の操作節度感は特に設定しなくても良い。
【００２８】
作動スイッチ４が設けられる上面係合部２３は、記録部３に対して、横幅方向にスライドさせること、およびスライド状態からロックさせることが可能とされているので、レンズ付きフィルムＦの大きさや形状によりシャッターボタンＢＴの位置に違いがあっても、作動スイッチ４はシャッターボタンＢＴの位置に合わせて位置調整をすることができる。
【００２９】
〔出力システム５について〕
記録部３に記録されたＧＰＳ情報の出力システム５は、図４に示されるように、パーソナルコンピュータ５１、プリンタ５２、パーソナルコンピュータ５１とインターネットＩで接続される地図および時間情報を提供する専用の情報提供サーバー５３、および情報提供サーバー５３が接続する国土地理院のＧＰＳ基地局５４により構成される。パーソナルコンピュータ５１は、ＧＰＳ情報記録装置１のメモリーチップ３５から外部出力端子３６に接続されるケーブルＣを介してＧＰＳ情報を読み込むとともに、読み込まれたＧＰＳ情報に合致する撮影位置（経度、緯度）の地図データ情報および撮影時刻（世界標準時刻）の時間情報を、情報提供サーバー５３からダウンロードする。なお、パーソナルコンピュータ５１には、上記のような処理を行うためのアプリケーションソフトが予めインストールされている。ダウンロードされた情報は、プリンタ５２により、受信順すなわちシャッターボタンＢＴの押圧操作順に合わせてプリントアウトされるように上記アプリケーションソフトで設定されている。なお、国土地理院のＧＰＳ基地局５４に接続することにより、ＧＰＳ情報の補正データを入手し、撮影位置情報等の誤差修正が行われる。
【００３０】
〔ＧＰＳ情報記録装置１の使用方法〕
上記したＧＰＳ情報記録装置１の使用方法を説明する。まず、新しいレンズ付きフィルムＦを、ＧＰＳ情報記録装置１の係合部２に係合させる。シャッターボタンＢＴと作動スイッチ４の位置がずれている場合には、作動スイッチ４が設けられている上面係合部２３をスライドさせて位置調整した後、動かないようにロックする。写真撮影をするときは、レンズ付きフィルムＦのレンズ部を被写体に向け、シャッターボタンＢＴの操作と同じ要領で作動スイッチ４を押圧操作する。
【００３１】
これにより、作動スイッチ４がオンされてＧＰＳ情報が受信されると同時に、シャッターボタンＢＴが押圧操作されて写真撮影が行われる。この後、フィルムの巻き取り、作動スイッチ４のオン操作を繰り返すたびに、ＧＰＳ情報の受信および写真撮影が行われる。すなわち、レンズ付きフィルムＦによる各撮影画像に対応するＧＰＳ情報がすべて記録部３に記録されることとなる。
【００３２】
フィルムを使い切った後は、レンズ付きフィルムＦとＧＰＳ情報記録装置１を分離して、レンズ付きフィルムＦについては、フィルム現像およびプリントを行う。一方、ＧＰＳ情報記録装置１については、パーソナルコンピュータ５１に接続し、パーソナルコンピュータ５１に受信順すなわち撮影順に合わせて記録されたＧＰＳ情報を読み込ませる。そして、読み込んだＧＰＳ情報を、パーソナルコンピュータ５１からインターネットＩを通じて情報提供サーバー５３に送信する。情報提供サーバー５３では、国土地理院のＧＰＳ基地局にアクセスしてＧＰＳ情報の補正を行った後で、補正後の各ＧＰＳ情報に対応する地図情報および時間情報を検索等してパーソナルコンピュータ５１に返信する。返信された情報をプリンタ５２でプリントアウトすることにより、プリントされた撮影画像と照らし合わせて、何時、何処で撮影された画像であるかを知ることができる。
【００３３】
〔ＧＰＳ情報記録装置１の特徴点〕
ＧＰＳ情報記録装置１は、上記のように構成されることにより、次のような特徴点を有している。
【００３４】
第１に、作動スイッチ４をオン操作することにより、記録部３でＧＰＳ情報が記録されるとともに、係合部２に係合されたレンズ付きフィルムＦのシャッターボタンＢＴが連動して写真撮影が行われるという特徴点を有している。これにより、通信機能が搭載されていないレンズ付きフィルムＦの撮影画像に関連させて、ＧＰＳ情報を記録することができる。
【００３５】
第２に、作動スイッチ４は、シャッターボタンＢＴを覆うように配置されており、レンズ付きフィルムＦのシャッターボタンＢＴと同様に上部から押圧されることによりオンされるという特徴点を有している。これにより、撮影者は、通常のレンズ付きフィルムで撮影する場合と同様の操作をするだけで、ＧＰＳ情報の記録をすることができる。
【００３６】
第３に、作動スイッチ４が下方に押される動きを利用してシャッターボタンＢＴを押圧操作するという特徴点を有している。これにより、作動スイッチ４とシャッターボタンＢＴを連動させるための機構を簡単にすることができる。
【００３７】
第４に、作動スイッチ４はラバー製カバー４２の撓みにより下方に押動されるという特徴点を有している。これにより、作動スイッチ４とシャッターボタンＢＴの連動機構を一層簡単に構成することができる。
【００３８】
第５に、作動スイッチ４は、作動スイッチ４が設けられる上面係合部２３のスライドにより横幅方向の位置調整が可能であるという特徴点を有している。これにより、シャッターボタンの位置が異なるレンズ付きフィルムに対しても、作動スイッチ４を適宜に位置調整して使用することができる。
【００３９】
第６に  ＧＰＳ情報は撮影画像の撮影順に合わせて記録されるという特徴点を有している。これにより、ＧＰＳ情報から得られる撮影場所、撮影日時を、撮影画像に対応させた形で出力することができる。また、ＧＰＳ情報を撮影順に合わせて記録すれば良いので、記録部３を簡単に構成することができる。
【００４０】
第７に、外部出力端子３６からパーソナルコンピュータ５１にＧＰＳ情報を出力することができるという特徴点を有している。これにより、パーソナルコンピュータ５１へのデータ出力が容易に行えて、パーソナルコンピュータ５１からインターネットを通じて、ＧＰＳ情報の補正、地図データ情報の入手等の処理を容易に行うことができる。また、ＧＰＳ情報記録装置１からインターネットに直接接続する必要が無いので、ＧＰＳ情報記録装置１のためにのみ通信会社と契約する必要が無い。さらに、国土地理院の補正情報を利用するため、撮影場所を高精度に特定することができる。
【００４１】
〔上記実施形態の変形例〕
上記実施形態では、作動スイッチ４は自らが押動されることにより、シャッターボタンＢＴを押圧操作することとしたが、作動スイッチのオンに連動して、作動スイッチ４以外の部材によりシャッターボタンを押圧操作させるようにしても良い。
【００４２】
上記実施形態では、パーソナルコンピュータ５１へのデータ出力は外部出力端子３６を用いて行うようにしたが、メモリーチップ３５を取り外して、パーソナルコンピュータ５１に挿入することにより、あるいは無線方式により、ＧＰＳ情報のコピーを行うようにしても良い。
【００４３】
上記実施形態では、撮影画像のプリントと、撮影場所・日時のプリントアウトを別々に行うこととしたが、撮影画像がプリントされる印画紙に、撮影場所の地図情報や日時を合わせてプリントするようにしても良い。例えば、写真プリント機器に、パーソナルコンピュータ５１から地図データ情報等を取り込むようにしたり、ＧＰＳデータ記録装置１から写真プリント機器にＧＰＳ情報を直接出力させ写真プリント機器が自らインターネットに接続して地図データ情報等を入手できるようにしたりすることにより実現される。
【００４４】
尚、本発明のレンズ付きフィルムのＧＰＳデータ記録装置は、上記した実施の形態に限定されるものではなく、本発明の要旨を逸脱しない範囲内において種々変更を加え得ることは勿論である。
【００４５】
【発明の効果】
以上、説明したように、請求項１〜８に記載のレンズ付きフィルムのＧＰＳデータ記録装置によれば、通信機能が搭載されていないレンズ付きフィルムの撮影画像に関連させて、ＧＰＳ情報を容易に記録することができるという優れた効果を奏し得る。
【図面の簡単な説明】
【図１】ＧＰＳ情報記録装置の外観を示す図であって、（ａ）は単体状態、（ｂ）レンズ付きフィルムを係合した状態を示す。
【図２】ＧＰＳ情報を記録する記録部の内部構造を示す図である。
【図３】作動スイッチの構造を示す断面図である。
【図４】記録されたＧＰＳ情報を出力するためのシステムを示す図である。
【符号の説明】
１    ＧＰＳ情報記録装置
２    係合部
３    記録部
４    作動スイッチ
５    出力システム
【図１】
2004226860.tif 000003
【図２】
2004226860.tif 000004
【図３】
2004226860.tif 000005
【図４】
2004226860.tif 000006